(57)【要約】【課題】互いに独立したシステムで生成される医用画像と医用情報の表示条件を適切に制御し、これにより医用画像の読影を支障なく行えるようにする。【解決手段】実施形態に係る医用情報表示装置は、互いに独立するシステムで生成される医用画像情報と医用情報とを表示デバイスに表示する装置であって、上記医用画像情報に基づいて、複数の画面領域に画像を表示する画像表示手段と、複数の前記画面領域の中からアクティブにする画面領域を切り換えるための切り換え手段と、調整手段とを備える。そして、調整手段により、上記切り換え手段でアクティブと選択された画面領域の周辺部分に表示されている情報の色調及び輝度の少なくとも一方を、予め記憶された調整パラメータ情報をもとに抑制された値に調整するようにしたものである。【選択図】図２
2013005993.tif 000002
【特許請求の範囲】
【請求項１】
互いに独立するシステムで生成される医用画像情報と医用情報とを表示デバイスに表示する医用情報表示装置であって、
前記医用画像情報に基づいて、複数の画面領域に画像を表示する画像表示手段と、
複数の前記画面領域の中からアクティブにする画面領域を切り換えるための切り換え手段と、
前記切り換え手段でアクティブと選択された画面領域の周辺部分に表示されている情報の色調及び輝度の少なくとも一方を、予め記憶された調整パラメータ情報をもとに抑制された値に調整する調整手段と
を具備する医用情報表示装置。
【請求項２】
前記医用画像情報の表示中に、操作者の操作情報に応じて当該医用画像情報が非選択状態を示す非アクティブ状態になったか否かを判定する手段を、さらに具備し、
前記調整手段は、医用画像情報が非アクティブ状態になったと判定された場合に、前記調整画面表示領域に表示されている医用情報の色調及び輝度の少なくとも一方を抑制前の値に戻す機能を、さらに有する請求項１記載の医用情報表示装置。
【請求項３】
前記医用画像情報の表示中に、操作者の操作情報に応じて当該医用画像情報の表示領域が移動したか否かを判定する手段を、さらに備え、
前記算出手段は、前記医用画像情報の表示領域が移動するごとにこの移動後の医用画像情報の表示領域の位置情報を再計算し、
前記設定手段は、前記表示領域の位置情報が再計算されるごとに、この再計算された位置情報座標に基づいて、前記医用画像情報の表示領域と同一視野内に含まれる範囲に調整画面表示領域を再設定し、
前記調整手段は、前記調整画面表示領域が再設定されるごとに、この再設定された調整画面表示領域に表示されている情報の色調及び輝度の少なくとも一方を、前記記憶手段に記憶された調整パラメータ情報をもとに抑制された値に再調整する請求項１記載の医用情報表示装置。
【請求項４】
前記調整画面表示領域の寸法を指定する第１の指定情報の入力を受付ける手段を、さらに具備し、
前記設定手段は、前記算出された位置情報と、前記入力された第１の指定情報に応じて、前記医用画像情報の表示領域と同一視野内に含まれる範囲に調整画面表示領域を設定する機能を有する請求項１乃至３のいずれかに記載の医用情報表示装置。
【請求項５】
前記調整画面表示領域の色調及び輝度の少なくとも一方を指定する第２の指定情報の入力を受付ける手段を、さらに具備し、
前記調整手段は、前記設定された調整画面表示領域に表示されている情報の色調及び輝度の少なくとも一方を、前記入力された第２の指定情報をもとに抑制された値に調整する機能を、さらに有する請求項１乃至４のいずれかに記載の医用情報表示装置。
【請求項６】
前記第２の指定情報の入力を受付ける手段は、前記調整画面表示領域の色調及び輝度の少なくとも一方を指定しかつ当該色調及び輝度を調整画面表示領域内の位置に応じて段階的に変化させる情報を含む第２の指定情報の入力を受付け、
前記調整手段は、前記設定された調整画面表示領域に表示されている情報の色調及び輝度の少なくとも一方を、前記第２の指定情報をもとに抑制すると共に調整画面表示領域内の位置に応じて段階的に変化させる機能を、さらに有する請求項５記載の医用情報表示装置。
【請求項７】
前記医用画像情報を記憶する第１のサーバと、前記医用情報を記憶する第２のサーバに対し通信ネットワークを介して接続され、操作者の操作情報に基づいて前記第１及び第２のサーバに対し前記通信ネットワークを介してアクセスすることにより当該第１及び第２のサーバから医用画像情報及び医用情報を受信し表示する請求項１記載の医用情報表示装置。
【請求項８】
互いに独立するシステムで生成される医用画像情報と医用情報とを表示デバイスに表示する医用情報表示方法であって、
前記医用画像情報の管理情報及び調整画面を生成するために必要な調整パラメータ情報を記憶手段に記憶させる過程と、
前記記憶手段に記憶された管理情報に基づいて、前記表示デバイスに前記医用画像情報が有効な状態で表示されているか否かを判定する過程と、
前記医用画像情報が有効な状態で表示されていると判定された場合に、当該医用画像情報の表示領域を表す位置情報を算出する過程と、
前記算出された位置情報に基づいて、前記医用画像情報の表示領域と同一視野内に含まれる範囲に調整画面表示領域を設定する過程と、
前記設定された調整画面表示領域に表示されている情報の色調及び輝度の少なくとも一方を、前記記憶手段に記憶された調整パラメータ情報をもとに抑制された値に調整する過程と
を具備する医用情報表示方法。
【請求項９】
請求項１乃至７の何れかに記載の医用情報表示装置が具備する各手段が有する処理機能を、当該医用情報表示装置が備えるコンピュータに実行させるプログラム。
【発明の詳細な説明】
【技術分野】
【０００１】
この発明の実施形態は、Ｘ線画像等の医用画像と電子カルテ等の医用情報とを表示デバイスに表示する医用情報表示装置、方法及びプログラムに関する。
【背景技術】
【０００２】
近年、医用分野においては、被検体の体内の情報をＸ線、超音波或いは磁気エネルギを利用して取得し、この取得した情報をもとに体内画像を構成して表示する医用画像診断システムが広く使用されている。この種のシステムを用いて体内画像を読影することで、医師は患者の病状等をより正確に把握することが可能となる。
【０００３】
一方、病院内では、電子カルテやレセプト、オーダリング、受診者の個人情報等の医用情報をデータベースに記憶し、必要に応じて医師の端末に表示可能とする医用情報システムが使用されている。この種のシステムを利用することで、医師は受診者のカルテ等を自身の端末で確認又は更新することができる。
【０００４】
ところで、これらのシステムは互いに独立しており、これらのシステムの医用画像及び医用情報を表示しようとする場合、従来ではそれぞれのシステム専用の表示装置を用いて医用画像及び医用情報を表示するようにしている。このため、システムごとに表示装置を設置しなければならず、相応の設置スペースと費用が必要となる。
【０００５】
そこで、複数種類の情報を１台の表示装置に混在させて表示させる従来の技術を適用することで、上記医用画像と医用情報を共通の表示装置に表示させることが提案されている。複数種類の情報を１台の表示装置に表示させる技術としては、例えば入力モード、入力操作者の識別情報、或いは表示装置の設置場所に応じて表示情報の色調パターンを異ならせる技術（例えば特許文献１を参照）や、画像情報を表示させる際に当該画像情報以外の情報が表示される領域の明度を一定量低下させる技術（例えば特許文献２を参照）が知られている。
【先行技術文献】
【特許文献】
【０００６】
【特許文献１】特開２００９−１３９６２４号公報
【特許文献２】特開２００９−１２５４４０号公報
【発明の概要】
【発明が解決しようとする課題】
【０００７】
ところが、一般に医用画像は白抜きの画像が多く、一方電子カルテ等の医用情報は全体の表示明度が明るく設定されている。このため、特許文献１のように複数種類の情報を共通の色調パターンで混在表示させる技術では、医用情報の明るさが医用画像の読影に悪影響を及ぼす。
【０００８】
一方、特許文献２のように画像以外の表示領域の明度を低下させるようにすれば、医用画像の読影に悪影響が及ぶ心配は軽減される。しかしながら、一般に医用画像診断システム及び医用情報システムはシンクライアント構成を採用していることが多く、互いに独立している。このため、医用画像と医用情報の表示パラメータもそれぞれのシステムで独立して設定されているため、単に特許文献２の技術を適用しただけでは医用画像と医用情報を最適な表示形態で表示することは不可能だった。
【０００９】
この発明は上記事情に着目してなされたもので、その目的とするところは、互いに独立したシステムで生成される医用画像と医用情報を表示装置に表示させる際に、医用画像と医用情報の表示条件を適切に制御できるようにし、これにより医用画像の読影を支障なく行えるようにした医用情報表示装置を提供することにある。
【課題を解決するための手段】
【００１０】
実施形態に係る医用情報表示装置は、互いに独立するシステムで生成される医用画像情報と医用情報とを表示デバイスに表示する装置であって、上記医用画像情報に基づいて、複数の画面領域に画像を表示する画像表示手段と、複数の前記画面領域の中からアクティブにする画面領域を切り換えるための切り換え手段と、調整手段とを備える。そして、調整手段により、上記切り換え手段でアクティブと選択された画面領域の周辺部分に表示されている情報の色調及び輝度の少なくとも一方を、予め記憶された調整パラメータ情報をもとに抑制された値に調整するようにしたものである。
【図面の簡単な説明】
【００１１】
【図１】第１の実施形態に係る医用情報システムの概略構成図。
【図２】第１の実施形態に係る医用情報システムで使用されるクライアント端末の機能構成を示すブロック図。
【図３】図２に示したクライアント端末において使用される医用画像管理情報の一例を示す図。
【図４】図２に示したクライアント端末において使用される色調調整画面情報の一例を示す図。
【図５】図２に示したクライアント端末による医用画像の表示判定処理の第１の例を示すフローチャート。
【図６】図５に示した医用画像の表示判定処理の第１の例を説明するための図。
【図７】図２に示したクライアント端末による医用画像の表示判定処理の第２の例を示すフローチャート。
【図８】図７に示した医用画像の表示判定処理の第２の例を説明するための図。
【図９】医用画像表示画面領域の座標算出処理を説明するための図。
【図１０】色調調整画面の決定処理を説明するための図。
【図１１】色調調整画面の生成処理を説明するための図。
【図１２】色調調整後の表示画面の第１の例を示す図。
【図１３】色調調整後の表示画面の第２の例を示す図。
【図１４】色調調整後の表示画面の第３の例を示す図。
【図１５】色調調整後の表示画面の第４の例を示す図。
【図１６】色調調整後の表示画面の第５の例を示す図。
【図１７】色調調整後の表示画面の第６の例を示す図。
【図１８】第２の実施形態に係る医用情報システムで使用されるクライアント端末の機能構成を示すブロック図。
【発明を実施するための形態】
【００１２】
以下、図面を参照して実施形態を説明する。  
［第１の実施形態］
（構成）
図１は、第１の実施形態に係る医用情報システムの概略構成図である。  
第１の実施形態に係る医用情報システムは、医師等の医用従事者が使用する複数のクライアント端末ＵＴ１〜ＵＴｎを備え、これらのクライアント端末ＵＴ１〜ＵＴｎを通信ネットワークＮＷを介して複数の医用情報システムサーバＭＳＶ〜ＭＳＶｍ及び医用画像管理サーバＳＳＶに接続可能とし、これにより医用情報システムサーバＭＳＶ〜ＭＳＶｍが管理している医用情報と、医用画像管理サーバＳＳＶが管理している医用画像を、クライアント端末ＵＴ１〜ＵＴｎに表示可能としたものである。
【００１３】
すなわち、この医用情報システムは、医用従事者が使用するクライアント端末ＵＴ１〜ＵＴｎに必要最小限の処理機能を持たせ、大半の処理機能を医用情報システムサーバＭＳＶ〜ＭＳＶｍ及び医用画像管理サーバＳＳＶに集中して持たせた、いわゆるシンクライアント構成となっている。  
なお、通信ネットワークＮＷとしては、例えば院内に構築されたＬＡＮ（Local Area Network）が用いられるが、それ以外に無線ＬＡＮやBluetooth（登録商標）等の小電力データ通信システム、さらには通信事業者が運用する公衆網等を含んでもよい。
【００１４】
医用情報システムサーバＭＳＶ〜ＭＳＶｍは、院内で使用される複数の医用情報システムのそれぞれに設けられたサーバであり、代表的なものとして電子カルテシステム、レセプト電算処理システム、オーダリングシステム、受付け（個人・資格認証）システム、診療支援システム等のサーバがある。これらの医用情報システムサーバＭＳＶ〜ＭＳＶｍはそれぞれデータベースを備え、システムが管理する医用情報を当該データベースに記憶し管理する。
【００１５】
なお、医用情報は、受診者一人一人を特定するための氏名、番号、所属、生年月日等の受診者データと、受診した医用機関名、受診年月日、検査項目等を含む検査データと、医用機関が入力した所見データを含む。検査項目には、身長や体重に加え、血圧、白血球数、中性脂肪数値等のバイタル情報が含まれる。所見データには、心電図、胸部Ｘ線検査データ、超音波検査データ等の検査データに対し医師が診断した所見のデータが含まれる。
【００１６】
医用画像管理サーバＳＳＶもデータベースを備え、医用画像診断装置により得られた被検体の体内画像情報を医用画像として上記データベースに記憶し管理する機能を有する。医用画像診断装置は、生体との相互作用により得られるエネルギ信号を検出して体内臓器の画像を得るもので、代表的なものとしてＸ線を用いるＸ線診断装置、Ｘ線ＣＴ装置、超音波を用いる超音波診断装置、磁気エネルギを用いるＭＲＩ（Magnetic Resonance Imaging）装置、γ線を用いる核医学診断装置（ＰＥＴ）やＰＥＴ−ＣＴ等がある。
なお、医用画像管理サーバＳＳＶを設けずに、上記各医用画像診断装置を通信ネットワークＮＷを介してクライアント端末ＵＴ１〜ＵＴｎに直接接続するようにしてもよい。
【００１７】
クライアント端末ＵＴ１〜ＵＴｎは、医師が使用する固定設置型のパーソナル・コンピュータからなり、例えば図２に示すようにクライアント端末本体１と、このクライアント端末本体１に対し信号ケーブル等を介して接続される入力デバイス２及び表示デバイス３とを備えている。入力デバイス２は、例えばキーボードとマウスとにより構成される。表示デバイス３は例えば液晶表示器により構成される。なお、クライアント端末本体１には外部記憶装置やプリンタが接続するようにしてもよい。
【００１８】
クライアント端末本体１は、送受信ユニット１１と、入出力インタフェースユニット１２と、制御ユニット１３Ａと、記憶ユニット１４を備えている。  
送受信ユニット１１は、制御ユニット１３ａの制御の下、医用情報システムサーバＭＳＶ〜ＭＳＶｍ及び医用画像管理サーバＳＳＶとの間で通信ネットワークＮＷを介して情報の送受信を行う。  
入出力インタフェースユニット１２は、入力デバイス２において入力されたコマンドや各種情報を取り込む処理と、制御ユニット１３Ａにより生成された表示画面データを表示デバイス３に表示させる処理を行う。
【００１９】
記憶ユニット１４は、記憶媒体として例えばハードディスク又はフラッシュメモリ等の随時書込み及び読出しが可能な不揮発性メモリを使用したものもで、この実施形態を実現するために必要な記憶部として、医用画像管理情報記憶部１４１と、色調調整画面情報記憶部１４２とを備えている。
【００２０】
医用画像管理情報記憶部１４１は、クライアント端末ＵＴ１〜ＵＴｎが表示対象とする医用画像の管理情報を記憶するために用いられる。管理情報としては、例えば医用画像の識別子が用いられ、識別子はプロセス名又はプロセスＩＤにより表される。図３（ａ）はその一例を示すもので、ここでは“application1”、“application5”、“application7”というプロセス名で表した場合を示している。
【００２１】
また、管理情報としては、装置（システム）の動作状態を表す動作状態識別子を用いることも可能である。表示動作中の装置の動作状態には、撮影中、読影中、印刷中、受信者データの検索・登録中、条件設定中等があり、動作状態識別子はこれらの動作状態を状態名又は状態ＩＤにより表す。図３（ｂ）はその一例を示すもので、ここでは“status2”、“status3”、“status5”という状態名で表した場合を示している。
【００２２】
色調調整画面情報記憶部１４２は、色調調整対象となる表示情報の色調を調整するための色調調整パラメータを格納するために用いられる。色調調整パラメータは、表示画面中における色調調整領域の位置を表すレイアウト値と、色調調整対象領域に設定する背景色の値とにより表される。図４はその一例を示すもので、レイアウト値は“Pattern1”、…のように表され、背景色はＲ，Ｇ，Ｂの各値と透過度αにより表される。
【００２３】
制御ユニット１３Ａは、ＣＰＵ（Central Processing Unit）を有するもので、この第１の実施形態を実現するために必要な処理機能として、医用画像表示判定部１３１と、医用画像表示画面座標算出部１３２と、色調調整画面決定部１３３と、色調調整画面表示制御部１３４を備えている。これらの処理機能部１３１〜１３４は、何れも図示しないプログラム・メモリに格納されたアプリケーション・プログラムを上記ＣＰＵに実行させることにより実現される。
【００２４】
医用画像表示判定部１３１は、医用画像管理情報記憶部１４１に記憶された管理情報に基づいて、表示デバイス３に医用画像の表示画面が表示されているか否かを判定する処理を行う。また上記医用画像表示判定部１３１は、表示デバイス３に医用画像が表示されている状態で、当該医用画像の表示領域の移動を検出する処理も行う。
【００２５】
医用画像表示画面座標算出部１３２は、上記医用画像表示判定部１３１により医用画像が表示されていると判定された場合に、表示デバイス３の全表示領域における当該医用画像の表示領域の座標を算出する処理を行う。また医用画像表示画面座標算出部１３２は、上記医用画像の表示領域の移動が検出されるごとに、この移動後の医用画像の表示領域の座標を再計算する処理も行う。
【００２６】
色調調整画面決定部１３３は、上記医用画像表示画面座標算出部１３２により算出された座標値に基づいて、上記医用画像の表示領域に接する周辺領域を調整画面表示領域として設定する処理と、この設定された調整画面表示領域に表示されている医用画像以外の表示情報、例えば医用情報の色調を、上記色調調整画面情報記憶部１４２に記憶された色調調整パラメータをもとに抑制された値に調整するための調整画面情報を生成する処理を行う。
なお、色調調整画面決定部１３３は、上記医用画像表示画面座標算出部１３２により医用画像表示領域の座標が再計算されるごとに、この再計算された座標に基づいて上記調整画面表示領域の設定処理と、調整画面情報の生成処理を実行する。
【００２７】
色調調整画面表示制御部１３４は、上記色調調整画面決定部１３３により生成された色調調整画面を入出力インタフェースユニット１２へ出力し、表示デバイス３に表示させる処理を行う。
【００２８】
（動作）
（１）医用画像管理情報の登録
表示処理に先立ち制御ユニット１３Ａは、クライアント端末が表示対象とする医用画像の識別子を医用画像管理サーバＳＳＶから通信ネットワークＮＷを介して取得する。そして、この取得された医用画像の識別子を医用画像管理情報記憶部１４１に格納する。なお、この医用画像の識別子の登録処理は、表示候補となる医用画像のリストを医用画像管理サーバＳＳＶから取得して表示デバイス３に表示させ、この表示されたリストの中から所望の医用画像を端末使用者が入力デバイス２により選択指定することにより行うようにしてもよい。
【００２９】
なお、医用画像管理情報として、表示動作中の装置の動作状態を表す動作状態識別子を使用する場合、この動作状態識別子の登録処理は装置の初期設定過程において自動的に行われる。また、色調調整パラメータについても、装置の初期設定過程において自動的に行われる。
【００３０】
（２）表示制御処理
表示デバイス３において医用情報の表示動作が行われている状態で、制御ユニット１３Ａでは以下のような処理が実行される。  
（２−１）医用画像の表示の有無の判定
図５は、この医用画像の表示の有無の判定処理手順と処理内容を示すフローチャートである。制御ユニット１３Ａは医用画像表示判定部１３１を起動し、この医用画像表示判定部１３１の制御の下、先ずステップＳ５１により医用画像管理情報記憶部１４１から医用画像識別子を読込む。次にステップＳ５２により、表示デバイス３に表示画面（ウィンドウ）が表示中の情報の識別子を取得する。この表示画面の情報を取得する手段としては、例えばプログラムコールを使用する。そして、上記取得された識別子を上記読込まれた医用画像識別子と比較し、上記表示中の表示画面の中にその識別子が上記読込まれた医用画像識別子と一致する表示情報が存在するか否かを、ステップＳ５３により判定する。この判定の結果、存在する場合にはステップＳ５４により医用画像の表示画面が表示中であると判定し、これに対し存在しない場合にはステップＳ５５により医用画像の表示画面は表示されていないと判定する。
【００３１】
例えば、いま図６に示すように、表示デバイス３に“application1”及び“application2”の表示画面が表示されていたとする。この場合、医用画像管理情報記憶部１４１には、図３（ａ）に示したように医用画像の識別子として“application1”が格納されているため、表示デバイス３には医用画像の表示画面が表示されていると判定される。なお、医用画像管理情報記憶部１４１に医用画像の識別子が複数格納されている場合には、再帰的に判定処理が行われる。例えば、“application1”の次に“application5”をもとに表示の有無が判定され、続いて“application7”をもとに表示の有無が判定される。
【００３２】
また、その他の判定例として、端末がある特定の動作状態にあるときには医用画像の表示画面が存在するという考え方に基づき、端末の動作状態を表す識別子（システム状態識別子）をもとに判定する手法が考えられる。図７はその処理手順と処理内容を示すフローチャートである。
【００３３】
この判定手法では、先ずステップＳ７１により医用画像管理情報記憶部１４１からシステム状態識別子が読込まれる。例えば図３（ｂ）に示した例では、“status2”が読込まれる。次に、端末の現在の動作状態を表す情報を取得する。この端末の現在の動作状態を表す情報の取得手段には、装置の動作状態を管理するプログラムを利用する。そして、上記取得された端末の現在の動作状態を表す情報が、上記読込まれた“status2”と一致するか否かがステップＳ７３により判定される。この判定の結果、存在する場合にはステップＳ７４により医用画像の表示画面が表示中であると判定され、これに対し存在しない場合にはステップＳ７５により医用画像の表示画面は表示されていないと判定される。
【００３４】
例えば、いま端末の現在の動作状態が図８（ａ）に示すように“status1”だったとすると、この端末の動作状態は医用画像管理情報記憶部１４１から読込んだ“status2”と一致しない（status1≠status2）。このため、医用画像の表示画面は表示されていないと判定される。その後、端末の動作状態が例えば図８（ｂ）に示すように“status2”に遷移したとすると、医用画像管理情報記憶部１４１から読込んだ“status2”と一致する（status2＝status2）ため、医用画像表示画面が表示されたと判定される。
【００３５】
上記判定処理は、医用画像管理情報記憶部１４１に端末の動作状態を表す識別子（システム状態識別子）が複数格納されている場合には、再帰的に実行される。例えば、図３（ｂ）に示した場合には、“status2”に続いて“status3”をもとに判定処理が行われ、続いて“status5”をもとに判定処理が行われる。
【００３６】
なお、医用画像表示判定部１３１は、表示デバイス３に表示中の医用画像表示画面の表示位置の移動を周期的に監視する。そして、表示位置が移動するごとにこの移動後の医用画像表示画面が表示中であるか否かを判定する処理も実行する。
【００３７】
（２−２）医用画像の表示画面領域の座標の算出
上記医用画像表示判定部１３１により医用画像の表示画面が表示中であると判定されると、続いて制御ユニット１３Ａは医用画像表示画面座標算出部１３２を起動する。そして、この医用画像表示画面座標算出部１３２の制御の下で、表示デバイス３の全表示画面領域における上記医用画像表示画面領域の座標を算出する。
【００３８】
医用画像表示画面領域の座標は、例えば図９に示すように表示デバイス３の表示領域の左上隅を原点（0 ，0 ）とし、かつ右下隅の座標を（X ，Y ）としたとき、左上隅の座標（x0，y0）、右上隅の座標（x1，y1）、左下隅の座標（x2，y2）、右下隅の座標（x2，y2）により表される。
【００３９】
算出方法は、予め与えられた値から算出する静的な方法と、実行中に得られた情報から算出する動的な方法が考えられる。静的な方法では、医用画像管理情報記憶部１４１に医用画像表示画面領域の座標を予め登録しておき、医用画像表示判定部１３１が管理情報を読込む際に座標情報を同時に読込み、この読込まれて座標情報を利用することで算出する。
【００４０】
これに対し動的な方法では、実行中の情報を取得するためのプログラムコールを使用する。例えば、図９に示すように医用画像表示画面領域の左上隅の座標（x0，y0）を原点とし、当該表示画面領域の幅と高さ（w ，h ）のサイズをプログラムコールにより取得する。そして、この取得したサイズから、医用画像表示画面領域の各隅の座標をそれぞれ
（x0，y0）＝（x ，y ）
（x1，y1）＝（x ＋w ，y ）
（x2，y2）＝（x ，y ＋h ）
（x3，y3）＝（x ＋w ，y ＋h ）
として算出する。
【００４１】
なお、表示デバイス３に表示中の医用画像表示画面領域の表示位置が移動した場合には、この移動後の表示位置の座標が再計算される。例えば、医用画像表示画面領域Ｖ１の移動により当該表示画面領域Ｖ１の座標が（x0，y0）、（x1，y1）、（x2，y2）、（x3，y3）から（x4，y4）、（x5，y5）、（x6，y6）、（x7，y7）へ変化したとする。この場合、色調調整画面決定部１３３は色調調整画面領域Ｖ３の１つ目の座標を、（0 ，0 ）、（X ，0 ）、（0 ，y4）、（X ，y4）に再設定し、この色調調整画面領域Ｖ３に色調調整画面表示部１３４により色調調整画面が再表示される。
【００４２】
なお、表示デバイス３は複数の表示部を持つ場合もあり、また医用画像表示画面領域が複数存在する場合もあるが、座標は同様の方法で算出できる。
【００４３】
（２−３）色調調整画面の決定
上記医用画像表示画面座標算出部１３２により医用画像の表示画面領域の座標が算出されると、制御ユニット１３Ａは次に色調調整画面決定部１３３を起動する。そして、この色調調整画面決定部１３３の制御の下、先ず上記算出された医用画像表示画面領域の座標をもとに色調の調整対象となる表示領域を決定する。
【００４４】
色調調整を医用画像表示画面領域以外のすべての表示領域に対し実施する場合、医用画像表示画面領域の上下左右に接する各表示領域に調整領域を設定することが必要となる。このため、例えば図１０に示すように４つの調整領域を決定する。これら４つの調整領域の座標はそれぞれ以下のように算出される。  
第１の調整領域の座標＝（0 ，0 ）、（X ，0 ）、（0 ，y0）、（X ，y0）
第２の調整領域の座標＝（0 ，y0）、（x0，y0）、（0 ，y2）、（x2，y2）
第３の調整領域の座標＝（x1，y1）、（X ，y0）、（x3，y3）、（X ，y2）
第４の調整領域の座標＝（0 ，y2）、（X ，y2）、（0 ，Y ）、（X ，Y ）
なお、調整領域の数やそれぞれの調整領域の設定の仕方は上記の例に限定されない。
【００４５】
次に、上記各調整領域では背景の色調を抑制するための調整画面が必要となるため、例えば調整画面の背景色と透明度を設定する。背景色はＲＧＢ値（r ，g ，b ）により設定され、透過度はα（%）として設定される。この背景色と透明度の設定方法としては、予め指定した値をそのまま使用する静的な方法と、表示中の情報を使用して決定する動的な方法が考えられる。
【００４６】
静的な方法では、背景色＝（r0 ，g0，b0）、透明度=α0 を予め指定した場合、調整画面の色調を（r ，g ，b ）＝（r0，g0，b0）、α=α0 とする。動的な方法では、背景色の変化＝（r2，g2，b2）、透明度=α2 を予め指定しておき、医用画像表示画面の色調が背景色＝（r1，g1，b1）、透明度=α1 であることを認識し、調整画面の色調を（r ，b ，g ）＝（r1×r2，g1×g2，b1×b2）、α=α1 ×α2 とする。なお、背景の色調を抑制するための項目や定義は上記の例に限定されない。
【００４７】
（２−４）色調調整画面の表示
制御ユニット１３Ａは、最後に色調調整画面表示制御部１３４を起動し、この色調調整画面表示制御部１３４の制御の下で、上記色調調整画面決定部１３３により生成された色調調整画面を入出力インタフェースユニット１２へ出力する。この結果、入出力インタフェースユニット１２により表示デバイス３に上記色調調整画面が表示される。  
図１１は、この色調調整画面Ｖ３を表示したことによる、医用画像表示画面領域Ｖ１の外周に隣接する調整対象領域Ｖ２の背景の色調及び透過度を抑制する動作のイメージを示したものである。
【００４８】
（３）色調調整画面領域の設定の具体例
図１２及び図１３は、表示デバイス３の全表示領域のうち、医用画像表示画面領域Ｖ１以外のすべての領域を色調調整対象領域として設定したものであり、これらの色調調整対象領域全域に色調調整画面領域Ｖ３が重ねて表示される。したがって、医用画像表示画面領域Ｖ１以外のすべての領域において、色調及び透過度が抑制された医用画像以外の情報、例えば医用情報Ｖ４が表示される。
【００４９】
以上詳述したように第１の実施形態では、先ず医用画像表示判定部１３１により、医用画像管理情報記憶部１４１に記憶された管理情報に基づいて表示デバイス３に医用画像の表示画面領域Ｖ１が表示されているか否かを判定する。この判定の結果、医用画像表示画面領域Ｖ１が表示されていると、医用画像表示画面座標算出部１３２により表示デバイス３の全表示領域における当該医用画像表示画面領域Ｖ１の座標を算出し、続いて色調調整画面決定部１３３により、上記算出された座標をもとに上記医用画像表示画面領域Ｖ１の周辺に色調調整対象領域Ｖ３を設定すると共に、この設定された色調調整領域Ｖ３に表示すべき色調調整画面を色調調整画面情報記憶部１４２に記憶された色調調整パラメータをもとに生成する。そして、色調調整画面表示制御部１３４により、上記生成された色調調整画面を上記色調調整対象領域Ｖ３に表示中の医用情報Ｖ２に重ねて表示するようにしている。
【００５０】
したがって、医用画像表示画面領域Ｖ１が表示されている状態で、その周辺には色調調整対象領域Ｖ３が設定され、この色調調整対象領域Ｖ３では色調及び透過度が抑制された医用画像以外の情報、例えば医用情報Ｖ４が表示されることになる。このため、シンクライアント構成をなすシステムでありながら、医用画像と医用情報とを表示デバイス３に表示した状態でも、医用情報が医用画像の読影に悪影響を及ぼさないようにすることができる。
【００５１】
また、第１の実施形態では、表示デバイス３に医用画像が表示されている状態で、上記医用画像表示判定部１３１により当該医用画像の表示画面領域Ｖ１の移動を検出している。そして、この医用画像表示画面領域Ｖ１の移動が検出されるごとに、この移動後の医用画像の表示画面領域Ｖ１の座標を医用画像表示画面座標算出部１３２で再計算し、この再計算された座標に基づいて調整画面表示領域Ｖ３を再設定して、この再設定された調整画面表示領域Ｖ３に表示されている情報の色調を再調整するようにしている。  
したがって、医師が例えばマウスを用いたドラッグ操作により、表示デバイス３に表示されている医用画像表示画面領域Ｖ１の表示位置をより読影しやすい位置に移動させた場合にも、この医用画像表示画面領域Ｖ１の表示位置の移動に追従して調整画面表示領域Ｖ３を移動させることができる。
【００５２】
［第２の実施形態］
第２の実施形態は、表示デバイス３に医用画像表示画面と医用情報表示画面が表示されている状態で、端末使用者の操作を監視することで上記医用画像表示画面がアクティブ状態になったか否かを判定し、アクティブ状態になっている期間のみ色調調整画面を表示するようにしたものである。  
また第２の実施形態は、端末の使用者が色調調整画面のサイズを任意に指定した場合に、この指定されたサイズに従い医用画像表示画面に対する色調調整対象領域を設定し、この設定された領域に表示調整画面を表示させるようにしたものである。
【００５３】
（構成）
図１８は、この第２の実施形態に係るクライアント端末の機能構成を示すブロック図である。なお、同図において前記図２と同一部分には同一符号を付して詳しい説明は省略する。
クライアント端末本体１Ｂにおいて、制御ユニット１３Ｂは第２の実施形態を実現するために必要な処理機能として、第１の実施形態で述べた医用画像表示判定部１３１、医用画像表示画面座標算出部１３２、色調調整画面決定部１３３及び色調調整画面表示制御部１３４に加え、医用画像表示画面使用判定部１３５と、色調調整画面作用決定部１３６をさらに備えている。
【００５４】
医用画像表示画面使用判定部１３５は、入力デバイス２における端末使用者のウィンドウイベントの操作又はマウスイベントの操作を監視し、これらのイベント操作に応じて医用画像表示画面領域Ｖ１がアクティブ状態であるか非アクティブ状態であるかを判定し、その判定結果を医用画像表示判定部１３１に伝える処理を行う。
【００５５】
色調調整画面作用決定部１３６は、入力デバイス２により端末使用者が色調調整画面領域Ｖ３のサイズ及び色調を任意に指定入力した場合に、この指定入力されたサイズ及び色調を有する色調調整画面を生成させるための指示を色調調整画面決定部１３３に与える処理を行う。
【００５６】
（動作）
（１）イベント操作に応じた色調調整制御
表示デバイス３に医用情報が表示されている状態で、制御ユニット１３Ｂは医用画像表示画面使用判定部１３５を起動し、この医用画像表示画面使用判定部１３５により入力デバイス２における端末使用者のウィンドウイベントの操作又はマウスイベントの操作を監視する。そして、例えば端末使用者が医用画像表示画面領域（ウィンドウ）Ｖ１をアクティブにするためのウィンドウイベント操作を行うと、当該医用画像表示画面領域Ｖ１はアクティブ状態になったと判定し、その旨を医用画像表示判定部１３１に通知する。
【００５７】
医用画像表示判定部１３１は、医用画像表示画面領域Ｖ１が表示され、かつ上記医用画像表示画面使用判定部１３５からアクティブ状態になった旨が通知された場合に、当該医用画像表示画面領域Ｖ１は有効な表示状態であると判定し、その旨を医用画像表示画面座標算出部１３２に通知する。
【００５８】
例えば、表示デバイス３に表示中の画面が医用画像表示画面（application1）及び医用情報表示画面（application2）であったとし、このうちアクティブ状態に設定された画面が“application2”であると、医用画像表示判定部１３１は医用画像表示画面が表示されていると判定しない。その後、端末使用者がウィンドウイベント操作によりapplication1をアクティブ化すると、医用画像表示画面が有効な表示状態になったと判定する。
【００５９】
したがって、このようにすると医用画像表示画面領域Ｖ１が非アクティブ状態になっている期間には色調調整画面領域Ｖ３は表示されず、医用画像表示画面領域Ｖ１がアクティブ状態になっている期間にのみ当該医用画像表示画面領域Ｖ１の周囲に色調調整画面領域Ｖ３が表示されることになる。  
なお、端末使用者がマウスを操作して医用画像表示画面を選択した場合や、マウスポインタが医用画像表示画面領域Ｖ３上を通過した場合に、当該医用画像表示画面領域Ｖ３はアクティブ状態になったと判定するようにしてもよい。
【００６０】
（２）色調調整画面領域のサイズ及び色調を任意に指定入力した場合
第１の実施形態では、図１２及び図１３を例示して、医用画像表示画面領域Ｖ１以外のすべての領域を色調調整対象領域に設定する場合について述べた。しかし、色調調整対象領域のサイズ及び色調は端末操作者が任意に設定することが可能である。
【００６１】
（２−１）端末使用者が色調調整画面領域Ｖ３のサイズを任意に指定する場合
端末使用者は、入力デバイス２を操作することで、医用画像表示画面領域Ｖ１の周辺の上下左右に対し任意にマージン領域ｍを指定入力する。色調調整画面作用決定部１３６は、上記入力指定されたマージン領域ｍを受け取ると、このマージンｍを色調調整画面決定部１３３に渡す。色調調整画面決定部１３３は、上記マージンｍを受け取ると、このマージンと医用画像表示画面座標算出部１３２により算出された座標とに基づいて、色調調整対象領域を設定する。
【００６２】
このようにすると、マージンｍの値を大きな値に設定すれば、例えば図１４のＥに示すように医用画像表示画面領域Ｖ１の外周において比較的広範囲の色調調整画面領域Ｖ３が表示され、これにより当該領域に表示される医用情報の背景の色調及び透過度が抑制される。
【００６３】
これに対し、マージン領域ｍを小さい値に設定すると、例えば図１５のＥに示すように医用画像表示画面領域Ｖ１の外周において比較的狭い範囲の色調調整画面領域Ｖ３が表示され、これにより当該領域に表示される医用情報の限られた範囲において背景の色調及び透過度が抑制される。
【００６４】
（２−２）色調調整画面領域Ｖ３の色調を端末使用者が任意に指定する場合
端末使用者は、入力デバイス２を操作することで色調調整画面領域Ｖ３の色調を指定入力する。例えば、色調の濃度、グラデーションの有無とそのパターンを指定する。そうすると色調調整画面作用決定部１３６は、この指定された色調の濃度、グラデーションの有無とそのパターンを表す情報を色調調整画面決定部１３３に伝える。色調調整画面決定部１３３は、上記色調の濃度、グラデーションの有無とそのパターンの指定情報を受け取ると、色調調整画面情報記憶部１４２に格納された色調調整パラメータに代えて、上記受け取った色調の濃度、グラデーションの有無とそのパターンの指定情報をもとに、色調調整画面領域Ｖ３の色調の濃度等を設定する。
【００６５】
例えば、医用画像表示画面領域Ｖ１の外周について背景の色調をより強く抑制したい場合には、ＲＧＢ値及び透過度として（r＝0 ，g＝0 ，b＝102 ，α＝80 ）のように指定する。このようにすると、例えば図１６に示すように、医用画像表示画面領域Ｖ１の外周に接する色調調整領域の背景の色調がより強く抑制される。
【００６６】
また、医用画像表示画面領域Ｖ１の外周において、背景の色調を段階的に抑制したい場合には、「グラデーション有り」を指定し、さらにそのパターンを選択的に指定する。具体的には、グラデーションの種類を「横」とし、グラデーションのパターンを「下から上」、背景色の１つ目を（r＝77 ，g＝77 ，b＝77 ）、背景色の２つ目を（r＝255 ，g＝255 ，b＝255 ）、透過度α＝50と指定する。このようにすると、例えば図１７に示すように、色調調整領域の色調は医用画像表示画面領域Ｖ１に近い領域ほど強く抑制され、遠ざかるに従い明るくなるように調整される。
【００６７】
以上詳述したように第２の実施形態では、表示デバイス３に医用画像表示画面領域Ｖ１と医用情報表示画面領域Ｖ２が表示されている状態で、端末使用者のウィンドウイベント操作又はマウスイベント操作を監視することで上記医用画像表示画面領域Ｖ１がアクティブ状態になったか否かを判定し、アクティブ状態になっている期間に色調調整画面を表示するようにしている。したがって、医用画像表示画面領域Ｖ１が表示されているだけでなく、さらにアクティブ状態になっている場合にのみ、当該医用画像表示画面領域Ｖ１の周囲に色調調整画面が表示されるようにすることが可能となる。
【００６８】
また、端末使用者が色調調整画面領域Ｖ３のサイズを任意に指定した場合に、この指定されたサイズに従い医用画像表示画面領域Ｖ１に対する色調調整対象領域を設定し、この設定された領域に表示調整画面を表示させるようにしている。したがって、表示調整画面領域Ｖ３のサイズを端末使用者が任意に指定することが可能となる。
【００６９】
さらに、端末使用者が色調調整画面の色調の濃度、グラデーションの有無とそのパターンを任意に指定した場合に、この指定された色調の濃度、グラデーションの有無とそのパターンに従い色調の濃度、グラデーションの有無とそのパターンが設定された表示調整画面を表示させるようにしている。したがって、表示調整画面の色調の濃度、グラデーションの有無とそのパターンを端末使用者が任意に指定することが可能となる。
【００７０】
［その他の実施形態］
前記第２の実施形態では、キーボード又はマウスの操作に基づいて医用画像表示画面領域Ｖ１がアクティブ状態か非アクティブ状態かを判定するようにした。しかし、それに限らず、端末使用者の視線を検出し、その検出結果に基づいて医用画像表示画面領域Ｖ１がアクティブ状態か非アクティブ状態かを判定するようにしてもよい。これは、例えばクライアント端末の表示デバイスの上部にカメラを設置し、このカメラにより端末使用者の視線を検出することで実現可能である。
【００７１】
以上、いくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７２】
ＵＴ１〜ＵＴｎ…クライアント端末、ＭＳ１〜ＭＳｍ…医用情報システムサーバ、ＳＳＶ…医用画像管理サーバ、ＮＷ…通信ネットワーク、１Ａ，１Ｂ…クライアント端末本体、２…入力デバイス、３…表示デバイス、１１…送受信ユニット、１２…入出力インタフェースユニット、１３Ａ，１３Ｂ…制御ユニット、１４…記憶ユニット、１３１…医用画像表示判定部、１３２…医用画像表示画面座標算出部、１３３…色調調整画面決定部、１３４…色調調整画面表示制御部、１３５…医用画像表示画面使用判定部、１３６…色調調整画面作用決定部、１４１…医用画像管理情報記憶部、１４２…色調調整画面情報記憶部。
【図１】
2013005993.tif 000003
【図２】
2013005993.tif 000004
【図３】
2013005993.tif 000005
【図４】
2013005993.tif 000006
【図５】
2013005993.tif 000007
【図６】
2013005993.tif 000008
【図７】
2013005993.tif 000009
【図８】
2013005993.tif 000010
【図９】
2013005993.tif 000011
【図１０】
2013005993.tif 000012
【図１１】
2013005993.tif 000013
【図１２】
2013005993.tif 000014
【図１３】
2013005993.tif 000015
【図１４】
2013005993.tif 000016
【図１５】
2013005993.tif 000017
【図１６】
2013005993.tif 000018
【図１７】
2013005993.tif 000019
【図１８】
2013005993.tif 000020